(57)【要約】【課題】配送ラベルが貼着された配送物を配送業者以外の拠点にて受け取り可能としながらも、受取人が受け取りに来なかった場合に配送業者が配送物を再配送可能とする。【解決手段】表面シート１０と中間シート２０とが擬似接着されるとともに、中間シート２０の表面シート１０とは反対側の面に裏面シート３０が剥離可能に貼着され、表面シート１０は、２本のハーフスリット１３ｃ，１３ｄとその外側に貫通ミシン１６ａ，１６ｂを有し、中間シート２０は、貫通ミシン１６ａ，１６ｂに対向する領域に貫通ミシン２３ａ，２３ｂを有するとともに、裏面シート３０との貼着面の全面に粘着層５０が積層され、裏面シート３０は、貫通ミシン２３ａ，２３ｂに対向する領域に貫通ミシン３３ａ，３３ｂを有するとともに、その外側にハーフスリット３４ａ，３４ｂを有し、中間シート２０との貼着面の全面に剥離層３１が積層されている。【選択図】図１
2020006586.tif 000002
【特許請求の範囲】
【請求項１】
第１のシートと第２のシートとが剥離可能に擬似接着されるとともに、前記第２のシートの前記第１のシートとの擬似接着面とは反対側の面に第３のシートが剥離可能に貼着されてなるラベルであって、
前記第１のシートは、互いに対向する２つの端辺に沿う領域に、前記２つの端辺にそれぞれ沿う２本の第１の切り離し線を有するとともに、前記第１の切り離し線に挟まれた領域の外側に、前記第１の切り離し線にそれぞれ沿う２本の第２の切り離し線を有し、
前記第２のシートは、前記２本の第２の切り離し線に対向する領域それぞれに第３の切り離し線を有するとともに、前記第３のシートとの貼着面に粘着層が積層され、
前記第３のシートは、前記第２のシートとの貼着面のうち、少なくとも前記粘着層に対向する領域に剥離層が積層され、
前記第３のシート及び／または前記粘着層は、当該ラベルが前記粘着層によって配送物に貼着される場合に前記第２のシートの前記第３のシートとの貼着面のうち前記２本の第３の切り離し線に挟まれた領域にて前記粘着層を表出させず、かつ、当該ラベルが前記配送物に貼着された後に、前記第１のシートの前記２本の第２の切り離し線に挟まれた領域と前記第２のシートの前記２本の第３の切り離し線に挟まれた領域のそれぞれを前記第１のシート及び前記第２のシートから切り離した場合に前記２本の第２の切り離し線及び第３の切り離し線に挟まれた領域にて前記配送物を表出させる構造を有する、ラベル。
【請求項２】
請求項１に記載のラベルにおいて、
前記粘着層が、前記第２のシートの前記第３のシートとの貼着面の全面に積層され、
前記第３のシートが、前記２本の第３の切り離し線に対向する領域それぞれに第４の切り離し線を有するとともに、前記第４の切り離し線に挟まれた領域の外側に、前記第４の切り離し線にそれぞれ沿う２本の第５の切り離し線を有する、ラベル。
【請求項３】
請求項１に記載のラベルにおいて、
前記粘着層が、前記第２のシートの前記第３のシートとの貼着面のうち前記２本の第３の切り離し線に挟まれた領域の外側の少なくとも一部に積層されている、ラベル。
【請求項４】
請求項１乃至３のいずれか１項に記載のラベルにおいて、
前記第１のシートは、複数の領域が互いに分離可能に区画形成されている、ラベル。
【請求項５】
配送物に貼着される本ラベルと、第１のシートと第２のシートとが剥離可能に擬似接着されるとともに、前記第２のシートの前記第１のシートとの擬似接着面とは反対側の面に第３のシートが剥離可能に貼着され、前記本ラベルを跨って前記配送物に貼着される補助ラベルとからなるラベルセットであって、
前記本ラベルは、前記配送物との貼着面とは反対側の面に、個人情報及び第１の識別情報が表示され、
前記第１のシートは、前記第１の識別情報に対応づけられた第２の識別情報が表示され、互いに対向する２つの端辺に沿う領域に、前記２つの端辺にそれぞれ沿う２本の第１の切り離し線を有するとともに、前記第１の切り離し線に挟まれた領域の外側に、前記第１の切り離し線にそれぞれ沿う２本の第２の切り離し線を有し、
前記第２のシートは、前記２本の第２の切り離し線に対向する領域それぞれに第３の切り離し線を有するとともに、前記第３のシートとの貼着面に粘着層が積層され、
前記第３のシートは、前記第２のシートとの貼着面のうち、少なくとも前記粘着層に対向する領域に剥離層が積層され、
前記補助ラベルは、前記第２のシートの前記２本の第３の切り離し線に挟まれた領域が、直接または前記第３のシートを介して前記本ラベルに対向するように前記個人情報を覆って前記粘着層によって前記配送物に貼着され、
前記第３のシート及び／または前記粘着層は、当該ラベルが前記粘着層によって前記配送物に貼着される場合に前記第２のシートの前記第３のシートとの貼着面のうち前記２本の第３の切り離し線に挟まれた領域にて前記粘着層を表出させず、かつ、当該ラベルが前記配送物に貼着された後に、前記第１のシートの前記２本の第２の切り離し線に挟まれた領域と前記第２のシートの前記２本の第３の切り離し線に挟まれた領域のそれぞれを前記第１のシート及び前記第２のシートから切り離した場合に前記２本の第２の切り離し線及び第３の切り離し線に挟まれた領域にて前記本ラベルを表出させる構造を有する、ラベルセット。
【発明の詳細な説明】
【技術分野】
【０００１】
本発明は、２枚のシートが剥離可能に擬似接着されるとともに、２枚のシートのうち一方のシートに３枚目のシートが剥離可能に貼着されてなるラベルに関する。
【背景技術】
【０００２】
一般に、配送物を配送する場合、配送物の配送元及び配送先の住所や氏名あるいは名称等の配送情報が印字された配送ラベルが用いられている。このような配送ラベルは、例えば、配達票と貼付票とを有し、これら配達票と貼付票のそれぞれに上述したような配送情報が印字され、裏面に積層された粘着層によって配送物に貼着されて使用される。そして、配送物が配送先に配送された後、配送物に貼着された配送ラベルのうち配達票が配送ラベルから分離され、配送業者等にて持ち帰られることになる。
【０００３】
近年、上述したような配送ラベルとして、２枚のシートが剥離可能に擬似接着されるとともに、２枚のシートのうち一方のシートに粘着層が積層され、粘着層によって配送物に貼着された後に、上述した配達票となる領域について２枚のシートを剥離して使用されるものが考えられている（例えば、特許文献１参照）。
【０００４】
ところで、配送物の配送は、配送物の受取人が不在の場合、配送業者が不在連絡票を郵便受けに入れて配送物を持ち帰り、その後、不在連絡票を見た受取人が再配送の日時を指定し、その日時に再配送がされることが一般的に行われている。ところが、配送物の受取人の在宅時間が不規則な場合、再配送の日時を指定することは難しく、配送物を自ら受け取りに行った方が便利なこともある。
【０００５】
しかしながら、不在連絡票を見た受取人が配送物を自ら受け取りに行く場合、配送物を配送した配送業者の配送拠点まで出向かなければならず、配送拠点が自宅から遠い受取人にとっては不便である。
【先行技術文献】
【特許文献】
【０００６】
【特許文献１】特開２０１７−１２５９１８号公報
【発明の概要】
【発明が解決しようとする課題】
【０００７】
上述したように配送物の受取人が配送物を自ら受け取りに行く場合の利便性を向上したサービスとして、配送物の受取人が不在だった場合に、その後、受取人がコンビニエンスストアで配送物を受け取れるサービスが考えられる。
【０００８】
しかしながら、配送業者が一度配送した配送物を受取人がコンビニエンスストアで受け取るサービスを構築する場合、上述したような配達票と貼付票とを有する配送ラベルだけでは、配送業者からコンビニエンスストアに配送物が配送された旨をその記録として残しておきにくい。その場合、配送ラベルとは別個に、配送ラベルに対応づけられた伝票を用いることが考えられるが、その伝票が配送物に添付されていなければ、伝票がどの配送物のものであるかがわからなくなってしまう虞がある。
【０００９】
また、コンビニエンスストアで配送物を受け取ることを指定した受取人が配送物を受け取りに来ないことも想定され、その場合、配送業者が配送物を再配送することも可能としておく必要がある。
【００１０】
本発明は、上述したような従来の技術が有する問題点に鑑みてなされたものであって、配送ラベルが貼着されて配送された配送物を配送業者以外の拠点にて受け取るサービスを可能としながらも、受取人がその拠点に受け取りに来なかった場合に配送業者が配送ラベルを用いて配送物を再配送することを可能とするラベル及びラベルセットを提供することを目的とする。
【課題を解決するための手段】
【００１１】
上記目的を達成するために本発明は、
第１のシートと第２のシートとが剥離可能に擬似接着されるとともに、前記第２のシートの前記第１のシートとの擬似接着面とは反対側の面に第３のシートが剥離可能に貼着されてなるラベルであって、
前記第１のシートは、互いに対向する２つの端辺に沿う領域に、前記２つの端辺にそれぞれ沿う２本の第１の切り離し線を有するとともに、前記第１の切り離し線に挟まれた領域の外側に、前記第１の切り離し線にそれぞれ沿う２本の第２の切り離し線を有し、
前記第２のシートは、前記２本の第２の切り離し線に対向する領域それぞれに第３の切り離し線を有するとともに、前記第３のシートとの貼着面に粘着層が積層され、
前記第３のシートは、前記第２のシートとの貼着面のうち、少なくとも前記粘着層に対向する領域に剥離層が積層され、
前記第３のシート及び／または前記粘着層は、当該ラベルが前記粘着層によって配送物に貼着される場合に前記第２のシートの前記第３のシートとの貼着面のうち前記２本の第３の切り離し線に挟まれた領域にて前記粘着層を表出させず、かつ、当該ラベルが前記配送物に貼着された後に、前記第１のシートの前記２本の第２の切り離し線に挟まれた領域と前記第２のシートの前記２本の第３の切り離し線に挟まれた領域のそれぞれを前記第１のシート及び前記第２のシートから切り離した場合に前記２本の第２の切り離し線及び第３の切り離し線に挟まれた領域にて前記配送物を表出させる構造を有する。
【００１２】
上記のように構成された本発明においては、配送ラベルが貼着された配送物に貼着する場合、第３のシートを第２のシートから剥離し、第２のシートの２本の第２の切り離し線に挟まれた領域が配送ラベルに対向するように配送ラベルを跨って、第２のシートの第３のシートとの貼着面に積層された粘着層によって配送物に貼着する。その際、第３のシート及び／または粘着層が、第２のシートの第３のシートとの貼着面のうち２本の第３の切り離し線に挟まれた領域にて粘着層を表出させない構造を有することで、ラベルが配送ラベルに貼着されることがない。配送物が配送業者以外の拠点に配送された際に、第１のシートのうち２本の第１の切り離し線で挟まれた領域を第１のシートから切り離して第２のシートから剥離し、それを配送業者が持ち帰ることで、配送物が配送業者以外の拠点に配送された旨を記録として残すことができる。その後、配送物の受取人がその拠点に配送物を受け取りに来なかった場合は、第１のシートの２本の第２の切り離し線に挟まれた領域のうち第１のシートから切り離されていない領域を第１のシートから切り離すとともに、第２のシートの２本の第３の切り離し線に挟まれた領域を第２のシートから切り離す。すると、第３のシート及び／または粘着層が、ラベルが配送物に貼着された後に、第１のシートの２本の第２の切り離し線に挟まれた領域と第２のシートの２本の第３の切り離し線に挟まれた領域のそれぞれを第１のシート及び第２のシートから切り離した場合に２本の第２の切り離し線及び第３の切り離し線に挟まれた領域にて配送物を表出させる構造を有するものであることで、配送物に貼着された配送ラベルを表出させることができる。この際、第１のシートの第２の切り離し線と第２のシートの第３の切り離し線とが互いに対向しているため、第１のシートの２本の第２の切り離し線に挟まれた領域のうち第１のシートから切り離されていない領域と第２のシートの２本の第３の切り離し線に挟まれた領域とを１つのアクションで第１のシート及び第２のシートから同時に切り離すことができる。
【００１３】
このように、第１のシートの２本の第１の切り離し線で挟まれた領域を第１のシートから切り離して第２のシートから剥離し、それを配送業者が持ち帰ることで、配送物が配送業者以外の拠点に配送された旨を記録として残すことにより、配送ラベルが貼着されて配送された配送物を配送業者以外の拠点にて受け取るサービスが可能となる。また、配送物の受取人がその拠点に配送物を受け取りに来なかった場合に、第１のシートの２本の第２の切り離し線に挟まれた領域と第２のシートの２本の第３の切り離し線に挟まれた領域のそれぞれを第１のシート及び第２のシートから切り離すことで配送ラベルを表出させることにより、配送業者が配送ラベルを用いて配送物を再配送することが可能となる。
【００１４】
このような構成としては、例えば、粘着層が、第２のシートの第３のシートとの貼着面の全面に積層され、第３のシートが、２本の第３の切り離し線に対向する領域それぞれに第４の切り離し線を有するとともに、第４の切り離し線に挟まれた領域の外側に、第４の切り離し線にそれぞれ沿う２本の第５の切り離し線を有する構成とすることが考えられる。
【００１５】
そのような構成においては、配送ラベルが貼着された配送物に貼着する場合、第３のシートのうち、２本の第５の切り離し線に挟まれた領域の外側を第３のシートから切り離して第２のシートから剥離し、第３のシートの第２のシートに貼着されたままとなる領域が配送ラベルに対向するように配送ラベルを跨って、表出した粘着層によって配送物に貼着する。その際、配送ラベルには、第３のシートの第２のシートに貼着されたままとなる領域が対向しているため、ラベルが配送ラベルに貼着されることがない。そして、配送物が配送業者以外の拠点に配送された際に、第１のシートのうち２本の第１の切り離し線で挟まれた領域を第１のシートから切り離して第２のシートから剥離し、それを配送業者が持ち帰ることで、配送物が配送業者以外の拠点に配送された旨を記録として残すことができる。その後、配送物の受取人がその拠点に配送物を受け取りに来なかった場合は、第１のシートの２本の第２の切り離し線に挟まれた領域のうち第１のシートから切り離されていない領域を第１のシートから切り離すとともに、第２のシートの２本の第３の切り離し線に挟まれた領域と第３のシートの２本の第４の切り離し線に挟まれた領域とをそれぞれ第２のシート及び第３のシートから切り離すことで、配送物に貼着された配送ラベルが表出し、配送ラベルに表示された情報に従って配送物を再配送することができる。この際、第１のシートの第２の切り離し線と第２のシートの第３の切り離し線と第３のシートの第４の切り離し線とが互いに対向しているため、第１のシートの２本の第２の切り離し線に挟まれた領域のうち第１のシートから切り離されていない領域と第２のシートの２本の第３の切り離し線に挟まれた領域と第３のシートの２本の第４の切り離し線に挟まれた領域とを１つのアクションで第１、第２及び第３のシートから同時に切り離すことができる。
【００１６】
また、上述した構成として、粘着層が、第２のシートの第３のシートとの貼着面のうち２本の第３の切り離し線に挟まれた領域の外側の少なくとも一部に積層されている構成とすることも考えられる。
【００１７】
そのような構成においては、配送ラベルが貼着された配送物に貼着する場合、第３のシートを第２のシートから剥離し、第２のシートの２本の第２の切り離し線に挟まれた領域が配送ラベルに対向するように配送ラベルを跨って、粘着層によって配送物に貼着する。その際、粘着層が、第２のシートの第３のシートとの貼着面のうち２本の第３の切り離し線に挟まれた領域の外側の少なくとも一部に積層されているため、ラベルが配送ラベルに貼着されることがない。そして、配送物が配送業者以外の拠点に配送された際に、第１のシートのうち２本の第１の切り離し線で挟まれた領域を第１のシートから切り離して第２のシートから剥離し、それを配送業者が持ち帰ることで、配送物が配送業者以外の拠点に配送された旨を記録として残すことができる。その後、配送物の受取人がその拠点に配送物を受け取りに来なかった場合は、第１のシートの２本の第２の切り離し線に挟まれた領域のうち第１のシートから切り離されていない領域を第１のシートから切り離すとともに、第２のシートの２本の第３の切り離し線に挟まれた領域を第２のシートから切り離すことで、配送物に貼着された配送ラベルが表出し、配送ラベルに表示された情報に従って配送物を再配送することができる。この際、第１のシートの第２の切り離し線と第２のシートの第３の切り離し線とが互いに対向しているため、第１のシートの２本の第２の切り離し線に挟まれた領域のうち第１のシートから切り離されていない領域と第２のシートの２本の第３の切り離し線に挟まれた領域とを１つのアクションで第１及び第２のシートから同時に切り離すことができる。
【００１８】
また、第１のシートが、複数の領域が互いに分離可能に区画形成されていれば、配送物が配送業者以外の拠点に配送された際以外にも、所定の処理が行われた際に第１のシートの区画形成された領域を第２のシートから剥離することで、その旨を記録として残すことができる。
【００１９】
また、配送物に貼着される本ラベルと、第１のシートと第２のシートとが剥離可能に擬似接着されるとともに、前記第２のシートの前記第１のシートとの擬似接着面とは反対側の面に第３のシートが剥離可能に貼着され、前記本ラベルを跨って前記配送物に貼着される補助ラベルとからなるラベルセットであって、
前記本ラベルは、前記配送物との貼着面とは反対側の面に、個人情報及び第１の識別情報が表示され、
前記第１のシートは、前記第１の識別情報に対応づけられた第２の識別情報が表示され、互いに対向する２つの端辺に沿う領域に、前記２つの端辺にそれぞれ沿う２本の第１の切り離し線を有するとともに、前記第１の切り離し線に挟まれた領域の外側に、前記第１の切り離し線にそれぞれ沿う２本の第２の切り離し線を有し、
前記第２のシートは、前記２本の第２の切り離し線に対向する領域それぞれに第３の切り離し線を有するとともに、前記第３のシートとの貼着面に粘着層が積層され、
前記第３のシートは、前記第２のシートとの貼着面のうち、少なくとも前記粘着層に対向する領域に剥離層が積層され、
前記補助ラベルは、前記第２のシートの前記２本の第３の切り離し線に挟まれた領域が、直接または前記第３のシートを介して前記本ラベルに対向するように前記個人情報を覆って前記粘着層によって前記配送物に貼着され、
前記第３のシート及び／または前記粘着層は、当該ラベルが前記粘着層によって前記配送物に貼着される場合に前記第２のシートの前記第３のシートとの貼着面のうち前記２本の第３の切り離し線に挟まれた領域にて前記粘着層を表出させず、かつ、当該ラベルが前記配送物に貼着された後に、前記第１のシートの前記２本の第２の切り離し線に挟まれた領域と前記第２のシートの前記２本の第３の切り離し線に挟まれた領域のそれぞれを前記第１のシート及び前記第２のシートから切り離した場合に前記２本の第２の切り離し線及び第３の切り離し線に挟まれた領域にて前記本ラベルを表出させる構造を有する。
【００２０】
上記のように構成された本発明においては、本ラベルが貼着された配送物に補助ラベルを貼着する場合、第３のシートを第２のシートから剥離し、第２のシートの２本の第２の切り離し線に挟まれた領域が本ラベルに対向するように本ラベルを跨って、第２のシートの第３のシートとの貼着面に積層された粘着層によって補助ラベルを配送物に貼着する。その際、第３のシート及び／または粘着層が、第２のシートの第３のシートとの貼着面のうち２本の第３の切り離し線に挟まれた領域にて粘着層を表出させない構造を有することで、補助ラベルが本ラベルに貼着されることがない。また、この状態では、本ラベルに表示された個人情報が視認不可能であるため、例えば、配送物が配送業者以外の拠点に配送された際に、その拠点にて個人情報が見られてしまうことが回避される。そして、配送物が配送業者以外の拠点に配送された際に、第１のシートのうち２本の第１の切り離し線で挟まれた領域を第１のシートから切り離して第２のシートから剥離し、それを配送業者が持ち帰ることで、配送物が配送業者以外の拠点に配送された旨を記録として残すことができる。その際、本ラベルには第１の識別情報が表示されているが、第１のシートにも第１の識別情報に対応づけられた第２の識別情報が表示されているため、第２の識別情報を読み取ることで、第１の識別情報によって管理される情報を把握することができる。その後、配送物の受取人がその拠点に配送物を受け取りに来なかった場合は、第１のシートの２本の第２の切り離し線に挟まれた領域のうち第１のシートから切り離されていない領域を第１のシートから切り離すとともに、第２のシートの２本の第３の切り離し線に挟まれた領域を第２のシートから切り離す。すると、第３のシート及び／または粘着層が、ラベルが配送物に貼着された後に、第１のシートの２本の第２の切り離し線に挟まれた領域と第２のシートの２本の第３の切り離し線に挟まれた領域のそれぞれを第１のシート及び第２のシートから切り離した場合に２本の第２の切り離し線及び第３の切り離し線に挟まれた領域にて配送物を表出させる構造を有するものであることで、本ラベルを表出させることができる。この際、第１のシートの第２の切り離し線と第２のシートの第３の切り離し線とが互いに対向しているため、第１のシートの２本の第２の切り離し線に挟まれた領域のうち第１のシートから切り離されていない領域と第２のシートの２本の第３の切り離し線に挟まれた領域とを１つのアクションで第１のシート及び第２のシートから同時に切り離すことができる。
【００２１】
このように、第１のシートの２本の第１の切り離し線で挟まれた領域を第１のシートから切り離して第２のシートから剥離し、それを配送業者が持ち帰ることで、配送物が配送業者以外の拠点に配送された旨を記録として残すことにより、本ラベルが貼着されて配送された配送物を配送業者以外の拠点にて受け取るサービスが可能となる。また、配送物の受取人がその拠点に配送物を受け取りに来なかった場合に、第１のシートの２本の第２の切り離し線に挟まれた領域と第２のシートの２本の第３の切り離し線に挟まれた領域のそれぞれを第１のシート及び第２のシートから切り離すことで本ラベルを表出させることにより、配送業者が本ラベルを用いて配送物を再配送することが可能となる。
【発明の効果】
【００２２】
本発明によれば、第１のシートの２本の第１の切り離し線に挟まれた領域を第１のシートから切り離して第２のシートから剥離し、それを配送業者が持ち帰ることで、配送物が配送業者以外の拠点に配送された旨を記録として残すことにより、配送ラベルが貼着されて配送された配送物を配送業者以外の拠点にて受け取るサービスを可能としながらも、配送物の受取人がその拠点に配送物を受け取りに来なかった場合に、第１のシートの２本の第２の切り離し線に挟まれた領域のうち第１のシートから切り離されていない領域を第１のシートから切り離すとともに、第２のシートの２本の第３の切り離し線に挟まれた領域を第２のシートから切り離すことで配送ラベルを表出させることにより、配送業者が配送ラベルを用いて配送物を再配送することを可能とすることができる。
【００２３】
また、第１のシートが、複数の領域が互いに分離可能に区画形成されているものにおいては、配送物が配送業者以外の拠点に配送された際以外にも、所定の処理が行われた際に第１のシートの区画形成された領域を第２のシートから剥離することで、その旨を記録として残すことができる。
【００２４】
また、配送物に貼着される本ラベルと、本ラベルを跨って配送物に貼着される補助ラベルとからなるラベルセットにおいて、本ラベルに表示された第１の識別情報に対応づけられた第２の識別情報が補助ラベルに表示され、補助ラベルが、本ラベルに表示された個人情報を覆って配送物に貼着されるものにおいては、補助ラベルが本ラベルを跨って配送物に貼着された状態では、本ラベルに表示された個人情報が見られてしまうことを回避できるとともに、第２の識別情報を読み取ることで、第１の識別情報によって管理される情報を把握することができる。
【図面の簡単な説明】
【００２５】
【図１】本発明のラベルの第１の実施の形態を示す図であり、（ａ）は表面図、（ｂ）は（ａ）に示したＡ−Ａ’断面図である。
【図２】図１に示した補助ラベルを構成する中間シートの構成を示す図である。
【図３】図１に示した補助ラベルを構成する裏面シートの構成を示す図である。
【図４】図１に示した表面シートに形成されたハーフスリットと、表面シート、中間シート及び裏面シートにそれぞれ形成された貫通ミシンと、裏面シートに形成されたハーフスリットとの位置関係を示す図である。
【図５】図１に示した補助ラベルが貼着される被着体の一例を示す図である。
【図６】図１に示した補助ラベルの図５に示した配送物への貼着方法を説明するための図である。
【図７】図１に示した補助ラベルの図５に示した配送物への貼着方法を説明するための図である。
【図８】図１に示した補助ラベルが貼着された配送物がコンビニエンスストアに配送された際の補助ラベルの使用方法を説明するための図である。
【図９】図１に示した補助ラベルが貼着された配送物がコンビニエンスストアに配送された後に受取人が配送物を取りに来た際の補助ラベルの使用方法を説明するための図である。
【図１０】図１に示した補助ラベルが貼着された配送物がコンビニエンスストアに配送された後に受取人が配送物を取りに来なかった際の補助ラベルの使用方法を説明するための図である。
【図１１】本発明のラベルの第２の実施の形態を示す図であり、（ａ）は表面図、（ｂ）は（ａ）に示したＡ−Ａ’断面図である。
【図１２】図１１に示した補助ラベルを構成する中間シートを示す図であり、（ａ）はその構成を示す図、（ｂ）は裏面シートとの貼着面の構成を示す図である。
【図１３】図１１に示した補助ラベルを構成する裏面シートの中間シートとの貼着面の構成を示す図である。
【図１４】図１１に示した表面シートに形成されたハーフスリット及び貫通ミシンと中間シートに形成された貫通ミシンとの位置関係を示す図である。
【図１５】図１１に示した補助ラベルが貼着される被着体の一例を示す図である。
【図１６】図１１に示した補助ラベルの図１５に示した配送物への貼着方法を説明するための図である。
【図１７】図１１に示した補助ラベルの図１５に示した配送物への貼着方法を説明するための図である。
【図１８】図１１に示した補助ラベルが貼着された配送物がコンビニエンスストアに配送された際の補助ラベルの使用方法を説明するための図である。
【図１９】図１１に示した補助ラベルが貼着された配送物がコンビニエンスストアに配送された後に受取人が配送物を取りに来た際の補助ラベルの使用方法を説明するための図である。
【図２０】図１１に示した補助ラベルが貼着された配送物がコンビニエンスストアに配送された後に受取人が配送物を取りに来なかった際の補助ラベルの使用方法を説明するための図である。
【発明を実施するための形態】
【００２６】
以下に、本発明の実施の形態について図面を参照して説明する。
【００２７】
（第１の実施の形態）
図１は、本発明のラベルの第１の実施の形態を示す図であり、（ａ）は表面図、（ｂ）は（ａ）に示したＡ−Ａ’断面図である。図２は、図１に示した補助ラベル１を構成する中間シート２０の構成を示す図であり、図３は、図１に示した補助ラベル１を構成する裏面シート３０の構成を示す図である。図４は、図１に示した表面シート１０に形成されたハーフスリット１３ｃ，１３ｄと、表面シート１０、中間シート２０及び裏面シート３０にそれぞれ形成された貫通ミシン１６ａ，１６ｂ，２３ａ，２３ｂ，３３ａ，３３ｂと、裏面シート３０に形成されたハーフスリット３４ａ，３４ｂとの位置関係を示す図である。
【００２８】
本形態は図１に示すように、表面シート１０と中間シート２０と裏面シート３０とがこの順で積層されてなる補助ラベル１である。
【００２９】
表面シート１０は、本願発明における第１のシートとなるものであり、例えば、耐水性を有する上質紙から構成されている。表面シート１０は図１（ａ）に示すように、長方形の形状からなり、互いに対向する２つの短辺に沿う領域のそれぞれに、その短辺に沿って２つの長辺間に延びた第１の切り離し線となるハーフスリット１３ｃ，１３ｄが表裏貫通して形成されている。これら２本のハーフスリット１３ｃ，１３ｄのうち一方のハーフスリット１３ｃは、その端部の近傍にジッパー部１３ｅが設けられている。ジッパー部１３ｅは、ハーフスリット１３ｃの一部が途切れて構成され、途切れた端部の一方が表面シート１０の内側に斜めに向かって屈曲して構成されている。また、表面シート１０には、２本のハーフスリット１３ｃ，１３ｄ間を長辺に並行して延びたハーフスリット１３ｂが形成されるとともに、一方の長辺からハーフスリット１３ｂまで延びたハーフスリット１３ａが形成されている。ハーフスリット１３ａ〜１３ｄが上記のように形成されることで、表面シート１０は、管理票１１ａ〜１１ｃと余剰片１２ａ，１２ｂとの５つの領域が分離可能に区画形成されたものとなっている。具体的には、ハーフスリット１３ａによって管理票１１ａと管理票１１ｂとが分離可能に区画形成され、ハーフスリット１３ｂによって管理票１１ａ，１１ｂと管理票１１ｃとが分離可能に区画形成され、ハーフスリット１３ｃによって管理票１１ａ，１１ｃと余剰片１２ａとが分離可能に区画形成され、ハーフスリット１３ｄによって管理票１１ｂ，１１ｃと余剰片１２ｂとが分離可能に区画形成されている。また、表面シート１０には、ハーフスリット１３ｃ，１３ｄに挟まれた領域の外側となる余剰片１２ａ，１２ｂのそれぞれに、ハーフスリット１３ｃ，１３ｄに沿う第２の切り離し線となる２本の貫通ミシン１６ａ，１６ｂが形成されている。なお、貫通ミシン１６ａ，１６ｂは、カット部とタイ部とが連続して構成されており、カット部とタイ部との比が、例えば２：１となっている。さらに、表面シート１０には、余剰片１２ａ，１２ｂの角部が三角形に切り欠かれることでコーナーカット１４ａ，１４ｂが設けられている。
【００３０】
中間シート２０は、本願発明における第２のシートとなるものであり、例えば、上質紙から構成されている。中間シート２０は図２に示すように、長方形の形状からなり、互いに対向する２つの短辺に沿う領域のそれぞれに、その短辺に沿って２つの長辺間に延びた第３の切り離し線となる貫通ミシン２３ａ，２３ｂが形成されている。貫通ミシン２３ａ，２３ｂは、中間シート２０が表面シート１０に積層された状態で表面シート１０の貫通ミシン１６ａ，１６ｂとともに形成されることで、貫通ミシン１６ａ，１６ｂと対向する領域に貫通ミシン１６ａ，１６ｂと同一の形状に形成されている。貫通ミシン２３ａ，２３ｂがこのように形成されることで、貫通ミシン２３ａ，２３ｂに挟まれた領域は目隠し片２１となり、貫通ミシン２３ａ，２３ｂの外側の領域が余剰片２２ａ，２２ｂとなって、これら目隠し片２１と余剰片２２ａ，２２ｂとが分離可能に区画形成されたものとなっている。中間シート２０の表面シート１０との積層面には、その全面に貼着後の剥離が可能な擬似接着剤が塗布されることで擬似接着層４０が積層されており、それにより、表面シート１０と中間シート２０とは、剥離可能に擬似接着されている。中間シート２０の剥離シート３０との積層面には、その全面に粘着剤が塗布されることで粘着層５０が積層されている。さらに、中間シート２０には、表面シート１０のコーナーカット１４ａ，１４ｂに対向して、余剰片２２ａ，２２ｂの角部が三角形に切り欠かれることでコーナーカット２４ａ，２４ｂが設けられている。
【００３１】
裏面シート３０は、本願発明における第３のシートとなるものであり、図３に示すように、長方形の形状からなり、互いに対向する２つの短辺に沿う領域のそれぞれに、その短辺に沿って２つの長辺間に延びた第５の切り離し線となるハーフスリット３４ａ，３４ｂが表裏貫通して形成されているとともに、ハーフスリット３４ａ，３４ｂに挟まれた領域に、ハーフスリット３４ａ，３４ｂに沿って２つの長辺間に延びた第４の切り離し線となる貫通ミシン３３ａ，３３ｂが形成されている。貫通ミシン３３ａ，３３ｂは、裏面シート３０が表面シート１０及び中間シート２０に積層された状態で表面シート１０の貫通ミシン１６ａ，１６ｂ及び中間シート２０の貫通ミシン２３ａ，２３ｂとともに形成されることで、貫通ミシン２３ａ，２３ｂと対向する領域に貫通ミシン２３ａ，２３ｂと同一の形状に形成されている。貫通ミシン３３ａ，３３ｂとハーフスリット３４ａ，３４ｂがこのように形成されることで、貫通ミシン３３ａ，３３ｂに挟まれた領域が目隠し片３１となり、ハーフスリット３４ａ，３４ｂの外側の領域が剥離片３２ａ，３２ｂとなっている。裏面シート３０の中間シート２０との積層面には、その全面に剥離剤が塗布されることで剥離層３１が積層されており、この剥離層３１と中間シート２０に積層された粘着層５０とによって中間シート２０と剥離可能に貼着されている。
【００３２】
上記のように構成された表面シート１０と中間シート２０と裏面シート３０とが積層された状態においては、図４に示すように、表面シート１０に形成された貫通ミシン１６ａ，１６ｂと中間シート２０に形成された貫通ミシン２３ａ，２３ｂと裏面シート３０に形成された貫通ミシン３３ａ，３３ｂとは上述したように対向している。また、中間シート２０及び裏面シート３０にそれぞれ形成された貫通ミシン２３ａ，２３ｂ，３３ａ，３３ｂは、表面シート１０に形成されたハーフスリット１３ｃ，１３ｄに対向する領域に挟まれた領域の外側に、ハーフスリット１３ｃ，１３ｄに対向する領域に沿って形成されている。また、表面シート１０及び中間シート２０にそれぞれ形成された貫通ミシン１６ａ，１６ｂ，２３ａ，２３ｂは、裏面シート３０に形成されたハーフスリット３４ａ，３４ｂに対向する領域に挟まれた領域において、ハーフスリット３４ａ，３４ｂに対向する領域に沿って形成されている。
【００３３】
以下に、上記のように構成された補助ラベル１の使用方法について説明する。
【００３４】
図５は、図１に示した補助ラベル１が貼着される被着体の一例を示す図である。
【００３５】
図１に示した補助ラベル１は、例えば図５に示すような配送物３に貼着されて使用される。配送物３には、配送物３を配送するための本ラベルとなる配送ラベル２が貼着されている。
【００３６】
配送ラベル２は、配達票２ａと貼付票２ｂとがスリット２ｆを介して分離可能に区画形成されて構成されており、配達票２ａと貼付票２ｂとのそれぞれには、配送物３の配送先や配送元の住所や氏名、名称等の個人情報となる配送情報が表示される配送情報表示領域２ｃ，２ｄが設けられているとともに、配達票２ａには、配送物３を特定するための第１の識別情報となる管理番号２ｅが表示されている。
【００３７】
このように構成された配送ラベル２は、裏面に設けられた接着手段（不図示）によって配送物３に貼着されることになるが、少なくとも配達票２ａは配送物３から剥離可能としておく必要あるため、貼着後の剥離を可能とする接着剤で配送ラベル２を配送物３に貼着したり、配送ラベル２として２枚のシートが剥離可能に貼着された構造のものを用いたりすることで、少なくとも配達票２ａが剥離可能となるように配送物３に貼着される。
【００３８】
上記のようにして配送ラベル２が貼着された配送物３は、配送ラベル２の配送情報表示領域２ｃ，２ｄに表示された配送情報に従って配送先に配送されていく。そして、配送物３の受取人が不在であった場合、不在票が配送先の郵便受け等に入れられるとともに、配送物３が配送業者によって持ち帰られる。
【００３９】
その後、配送物３の受取人が不在票に記載されたサイトにアクセスし、配送業者以外の拠点となるコンビニエンスストアにて配送物３を受け取ることが指定されると、図１に示した補助ラベル１が用いられることになる。
【００４０】
図６及び図７は、図１に示した補助ラベル１の図５に示した配送物３への貼着方法を説明するための図である。
【００４１】
図１に示した補助ラベル１を図５に示した配送物３に貼着する場合は、まず、図６に示すように、裏面シート３０のうち、ハーフスリット３４ａ，３４ｂで挟まれた領域の外側となる剥離片３２ａ，３２ｂを中間シート２０から剥離して裏面シート３０から切り離し、剥離片３２ａ，３２ｂが中間シート２０に貼着されていた領域に粘着層５０を表出させる。この際、表面シート１０と中間シート２０のそれぞれには、その角部にコーナーカット１４ａ，１４ｂ，２４ａ，２４ｂが互いに重なり合って設けられているので、コーナーカット１４ａ，１４ｂ，２４ａ，２４ｂが設けられた角部を剥離開始端とすることで、裏面シート３０の剥離片３２ａ，３２ｂを中間シート２０から容易に剥離することができる。
【００４２】
そして、図７に示すように、裏面シート３０の中間シート２０に貼着されたままとなる目隠し片３１が配送ラベル２に対向するように配送ラベル２を跨って補助ラベル１を粘着層５０によって配送物３に貼着する。この際、補助ラベル１には、管理票１１ａ〜１１ｃのいずれかに、配送物３の配送先となるコンビニエンスストアの所在地や名称等が表示されている。このように本形態における補助ラベル１は、粘着層５０が、中間シート２０の裏面シート３０との貼着面に積層されており、裏面シート３０が、補助ラベル１が粘着層５０によって配送物３に貼着される場合に、ハーフスリット３４ａ，３４ｂに挟まれた領域が中間シート２０に貼着されたままとなることで、補助ラベル１が粘着層５０によって配送物３に貼着される場合に、中間シート２０の裏面シート３０との貼着面のうち貫通ミシン２３ａ，２３ｂに挟まれた領域にて粘着層５０を表出させない構造を有している。
【００４３】
図１に示した補助ラベル１が配送ラベル２を跨って貼着された状態で、配送物３がコンビニエンスストアに配送されることになる。その際、補助ラベル１が配送ラベル２を跨って配送物３に貼着された状態では、配送ラベル２の配送情報表示領域２ｃ，２ｄに表示された配送情報が補助ラベル１に覆われていることで視認不可能であるため、配送物３が配送されたコンビニエンスストアにて配送情報が見られてしまうことが回避される。
【００４４】
図８は、図１に示した補助ラベル１が貼着された配送物３がコンビニエンスストアに配送された際の補助ラベル１の使用方法を説明するための図である。
【００４５】
図１に示した補助ラベル１が貼着された配送物３がコンビニエンスストアに配送されると、例えば、図８（ａ）に示すように、管理票１１ｃが中間シート２０から剥離されて表面シート１０から分離されていく。その際、管理票１１ｃと余剰片１２ａとの境界に形成されたハーフスリット１３ｃの端部の近傍に、ハーフスリット１３ｃの一部が途切れて構成され、途切れた端部の一方が表面シート１０の内側に斜めに向かって屈曲されたジッパー部１３ｅが設けられていることで、管理票１１ｃを表面シート１０から分離する力が表面シート１０の内側に向かった場合でも、管理票１１ｃの分離部分がハーフスリット１３ｃからずれて管理票１１ｃが破断してしまうことが回避される。
【００４６】
そして、図８（ｂ）に示すように、管理票１１ｃが表面シート１０から完全に分離された後、分離された管理票１１ｃを配送業者が持ち帰ることで、配送物３がコンビニエンスストアに配送されたことを記録として残すことができる。その際、管理票１１ｃには、第２の識別情報となる管理番号１５ｂが表示されているが、管理番号１５ｂは、配送ラベル２に表示された管理番号２ｅと対応づけられている。そのため、配送業者は、管理番号１５ｂを読み取ることで、管理番号２ｅによって管理される情報、すなわち、管理番号２ｅによって特定される配送物３が認識され、この配送物３がコンビニエンスストアに配送されたことを記録として残すことができる。
【００４７】
管理票１１ｃが表面シート１０から完全に分離された状態においても、配送ラベル２の配送情報表示領域２ｃ，２ｄに表示された配送情報は、目隠し片２１で覆われているため、配送物３が配送されたコンビニエンスストアにて見られてしまうことはない。
【００４８】
図９は、図１に示した補助ラベル１が貼着された配送物３がコンビニエンスストアに配送された後に受取人が配送物３を取りに来た際の補助ラベル１の使用方法を説明するための図である。
【００４９】
図１に示した補助ラベル１が貼着された配送物３がコンビニエンスストアに配送された後に受取人が配送物３を取りに来ると、例えば、図９（ａ）に示すように、管理票１１ｂが中間シート２０から剥離されて表面シート１０から分離されていく。
【００５０】
そして、図９（ｂ）に示すように、管理票１１ｄが表面シート１０から完全に分離された後、分離された管理票１１ｄをコンビニエンスストアにて回収することで、配送物３の受取人が配送物３を受け取ったことを記録として残すことができる。その際、管理票１１ｄには、第２の識別情報となる管理番号１５ａが表示されているが、管理番号１５ａは、管理票１１ｃに表示された管理番号１５ｂと同様に、配送ラベル２に表示された管理番号２ｅと対応づけられている。そのため、管理番号１５ａを用いて、配送ラベル２が貼着された配送物３がその受取人によって受け取られたことを記録として残すことができる。また、管理票１１ｂが表面シート１０から完全に分離された状態においても、配送ラベル２の配送情報表示領域２ｃ，２ｄに表示された配送情報は、目隠し片２１で覆われているため、配送物３が配送されたコンビニエンスストアにて見られてしまうことはない。
【００５１】
このように、コンビニエンスストアに配送された配送物３を受取人が受け取ることができ、その際、配送物３がコンビニエンスストアに配送されたことと、配送物３が受取人に受け取られたことを、補助ラベル１を用いて記録として残すことができる。そして、配送物３がコンビニエンスストアに配送されてから受取人が受け取るまで、配送物３に貼着された配送ラベル２の配送情報表示領域２ｃ，２ｄに表示された配送情報が補助ラベル１によって覆われていることで、配送ラベル２の配送情報表示領域２ｃ，２ｄに表示された配送情報がコンビニエンスストアにて見られてしまうことが回避される。
【００５２】
また、表面シート１０に、複数の管理票１１ａ〜１１ｃがハーフスリット１３ａ，１３ｂによって分離可能に区画形成されていることで、配送物３がコンビニエンスストアに配送された旨を、管理票１１ｃを用いて記録として残すことができるとともに、配送物３の受取人が配送物３を受け取った旨を、管理票１１ｂを用いて記録として残すことができる。
【００５３】
図１０は、図１に示した補助ラベル１が貼着された配送物３がコンビニエンスストアに配送された後に受取人が配送物３を取りに来なかった際の補助ラベル１の使用方法を説明するための図である。
【００５４】
図１に示した補助ラベル１が貼着された配送物３がコンビニエンスストアに配送された後、受取人が配送物３を取りに来なかった場合は、配送業者が配送物３をコンビニエンスストアから回収する。そして、図１０（ａ）に示すように、管理票１１ａ〜１１ｃの全てが中間シート２０から剥離された状態において、表面シート１０に形成された貫通ミシン１６ａと中間シート２０に形成された貫通ミシン２３ａと裏面シート３０に形成された貫通ミシン３３ａとを破断させていき、また、表面シート１０に形成された貫通ミシン１６ｂと中間シート２０に形成された貫通ミシン２３ｂと裏面シート３０に形成された貫通ミシン３３ｂとを破断させていくことで、表面シート１０の余剰片１２ａ，１２ｂのうち貫通ミシン１６ａ，１６ｂの内側の領域を余剰片１２ａ，１２ｂから切り離すとともに、目隠し片２１，３１を中間シート２０及び裏面シート３０から切り離す。この際、貫通ミシン１６ａ，２３ａ，３３ａが、上述したように、互いに対向する領域に同一の形状に形成されているため、貫通ミシン１６ａ，２３ａ，３３ａを１つのアクションで同時に破断させていくことができ、また同様に、貫通ミシン１６ｂ，２３ｂ，３３ｂが、互いに対向する領域に同一の形状に形成されているため、貫通ミシン１６ｂ，２３ｂ，３３ｂを１つのアクションで同時に破断させていくことができる。
【００５５】
表面シート１０の余剰片１２ａ，１２ｂのうち貫通ミシン１６ａ，１６ｂの内側の領域と中間シート２０の目隠し片２１と裏面シート３０の目隠し片３１とをそれぞれ表面シート１０、中間シート２０及び裏面シート３０から完全に切り離すことで、図１０（ｂ）に示すように、配送物３に貼着された配送ラベル２が表出する。この際、補助ラベル１が、裏面シート３０の目隠し片３１が配送ラベル２に対向するように配送ラベル２を跨って配送物３に貼着されていることで、裏面シート３０のハーフスリット３４ａ，３４ｂに挟まれた領域、すなわち、中間シート２０に貼着されたままとなっている領域に配送ラベル２が対向しており、それにより、補助ラベル１が配送ラベル２に貼着されておらず、表面シート１０の余剰片１２ａ，１２ｂのうち貫通ミシン１６ａ，１６ｂの内側の領域と中間シート２０の目隠し片２１と裏面シート３０の目隠し片３１とを、表面シート１０、中間シート２０及び裏面シート３０から切り離すことで、配送ラベル２を表出させることができる。このように本形態における補助ラベル１は、粘着層１５０が、中間シート２０の裏面シート３０との貼着面に積層されており、裏面シート３０が、表面シート１０及び中間シート２０にそれぞれ形成された貫通ミシン１６ａ，１６ｂ，２３ａ，２３ｂに対向する領域に貫通ミシン３３ａ，３３ｂが形成されていることにより、補助ラベル１が配送物３に貼着された後に、表面シート１０の貫通ミシン１６ａ，１６ｂに挟まれた領域と中間シート２０の貫通ミシン２３ａ，２３ｂに挟まれた領域のそれぞれを表面シート１０及び中間シート２０から切り離した場合に貫通ミシン１６ａ，１６ｂ，２３ａ，２３ｂに挟まれた領域にて配送物３に貼着された配送ラベル２を表出させる構造を有している。
【００５６】
配送ラベル２を表出させることで、配送業者は、配送ラベル２の配送情報表示領域２ｃ，２ｄに表示された配送情報に従って、コンビニエンスストアから回収した配送物３を再配送することができる。
【００５７】
このように、表面シート１０の管理票１１ｃを中間シート２０から剥離して表面シート１０から切り離し、それを配送業者が持ち帰ることで、配送物３がコンビニエンスストアに配送された旨を記録として残すことにより、配送ラベル２が貼着されて配送された配送物３を配送業者以外の拠点となるコンビニエンスストアにて受け取るサービスが可能となる。また、配送物３の受取人がその拠点に配送物を受け取りに来なかった場合に、表面シート１０の余剰片１２ａ，１２ｂのうち貫通ミシン１６ａ，１６ｂの内側の領域と中間シート２０の貫通ミシン２３ａ，２３ｂに挟まれた目隠し片２１と裏面シート３０の貫通ミシン３３ａ，３３ｂに挟まれた目隠し片３１とを、表面シート１０、中間シート２０及び裏面シート３０から切り離すことで、配送物３に貼着された配送ラベル２を表出させることにより、配送業者が配送ラベル２を用いて配送物３を再配送することが可能となる。
【００５８】
（第２の実施の形態）
図１１は、本発明のラベルの第２の実施の形態を示す図であり、（ａ）は表面図、（ｂ）は（ａ）に示したＡ−Ａ’断面図である。図１２は、図１１に示した補助ラベル１０１を構成する中間シート２０を示す図であり、（ａ）はその構成を示す図、（ｂ）は裏面シート１３０との貼着面の構成を示す図である。図１３は、図１１に示した補助ラベル１０１を構成する裏面シート１３０の中間シート２０との貼着面の構成を示す図である。図１４は、図１１に示した表面シート１０に形成されたハーフスリット１３ｃ，１３ｄ及び貫通ミシン１６ａ，１６ｂと中間シート２０に形成された貫通ミシン２３ａ，２３ｂとの位置関係を示す図である。
【００５９】
本形態は図１１に示すように、表面シート１０と中間シート２０と裏面シート１３０とがこの順で積層されてなる補助ラベル１０１であり、第１の実施の形態に示したものに対して、中間シート２０の裏面シート１３０との貼着面に積層された粘着層１５０と裏面シート１３０の構成が異なるものである。
【００６０】
本形態における粘着層１５０は、図１１及び図１２に示すように、中間シート２０の裏面シート１３０との貼着面のうち、貫通ミシン２３ａ，２３ｂに挟まれた領域の外側に、中間シート２０の端辺から所定の幅を有して貫通ミシン２３ａ，２３ｂに沿って粘着剤が塗布されることで積層されている。
【００６１】
裏面シート１３０は、図１３に示すように、中間シート２０との貼着面において、中間シート２０に積層された粘着層１５０に対向する領域に剥離剤が塗布されることで剥離層１３１が積層されている。これにより裏面シート１３０は、この剥離層１３１と粘着層１５０とによって中間シート２０と剥離可能に貼着されている。なお、剥離層１３１は、中間シート２０との貼着面のうち、少なくとも粘着層１５０に対向する領域に積層されていればよく、中間シート２０との貼着面の全面に積層されていてもよい。
【００６２】
上記のように構成された表面シート１０と中間シート２０と裏面シート１３０とが積層された状態においては、図１４に示すように、表面シート１０に形成された貫通ミシン１６ａ，１６ｂと中間シート２０に形成された貫通ミシン２３ａ，２３ｂとが対向しており、中間シート２０に形成された貫通ミシン２３ａ，２３ｂが、表面シート１０に形成されたハーフスリット１３ｃ，１３ｄに対向する領域に挟まれた領域の外側に、ハーフスリット１３ｃ，１３ｄに対向する領域に沿って形成されている。
【００６３】
以下に、上記のように構成された補助ラベル１０１の使用方法について説明する。
【００６４】
図１５は、図１１に示した補助ラベル１０１が貼着される被着体の一例を示す図である。
【００６５】
図１１に示した補助ラベル１０１は、例えば図１５に示すような配送物３に貼着されて使用される。配送物３には、配送物３を配送するための本ラベルとなる配送ラベル２が貼着されている。
【００６６】
配送ラベル２は、配達票２ａと貼付票２ｂとがスリット２ｆを介して分離可能に区画形成されて構成されており、配達票２ａと貼付票２ｂとのそれぞれには、配送物３の配送先や配送元の住所や氏名、名称等の個人情報となる配送情報が表示される配送情報表示領域２ｃ，２ｄが設けられているとともに、配達票２ａには、配送物３を特定するための第１の識別情報となる管理番号２ｅが表示されている。
【００６７】
このように構成された配送ラベル２は、裏面に設けられた接着手段（不図示）によって配送物３に貼着されることになるが、少なくとも配達票２ａは配送物３から剥離可能としておく必要あるため、貼着後の剥離を可能とする接着剤で配送ラベル２を配送物３に貼着したり、配送ラベル２として２枚のシートが剥離可能に貼着された構造のものを用いたりすることで、少なくとも配達票２ａが剥離可能となるように配送物３に貼着される。
【００６８】
上記のようにして配送ラベル２が貼着された配送物３は、配送ラベル２の配送情報表示領域２ｃ，２ｄに表示された配送情報に従って配送先に配送されていく。そして、配送物３の受取人が不在であった場合、不在票が配送先の郵便受け等に入れられるとともに、配送物３が配送業者によって持ち帰られる。
【００６９】
その後、配送物３の受取人が不在票に記載されたサイトにアクセスし、配送業者以外の拠点となるコンビニエンスストアにて配送物３を受け取ることが指定されると、図１１に示した補助ラベル１０１が用いられることになる。
【００７０】
図１６及び図１７は、図１１に示した補助ラベル１０１の図１５に示した配送物３への貼着方法を説明するための図である。
【００７１】
図１１に示した補助ラベル１０１を図１５に示した配送物３に貼着する場合は、まず、図１６に示すように、裏面シート１３０を中間シート２０から剥離し、中間シート２０の裏面シート１３０との貼着面に積層された粘着層１５０を表出させる。この際、表面シート１０と中間シート２０のそれぞれには、その角部にコーナーカット１４ａ，１４ｂ，２４ａ，２４ｂが互いに重なり合って設けられているので、コーナーカット１４ａ，１４ｂ，２４ａ，２４ｂが設けられた角部を剥離開始端とすることで、裏面シート１３０を中間シート２０から容易に剥離することができる。
【００７２】
そして、図１７に示すように、中間シート２０の目隠し片２１が配送ラベル２に対向するように配送ラベル２を跨って補助ラベル１０１を粘着層１５０によって配送物３に貼着する。この際、補助ラベル１０１には、管理票１１ａ〜１１ｃのいずれかに、配送物３の配送先となるコンビニエンスストアの所在地や名称等が表示されている。このように本形態における粘着層１５０は、中間シート２０の裏面シート１３０との貼着面のうち、貫通ミシン２３ａ，２３ｂに挟まれた領域の外側に、中間シート２０の端辺から所定の幅を有して貫通ミシン２３ａ，２３ｂに沿って粘着剤が塗布されることで積層されていることにより、補助ラベル１０１が粘着層１５０によって配送物３に貼着される場合に、中間シート２０の裏面シート１３０との貼着面のうち貫通ミシン２３ａ，２３ｂに挟まれた領域にて粘着層１５０を表出させない構造を有している。
【００７３】
図１１に示した補助ラベル１０１が配送ラベル２を跨って貼着された状態で、配送物３がコンビニエンスストアに配送されることになる。その際、補助ラベル１０１が配送ラベル２を跨って配送物３に貼着された状態では、配送ラベル２の配送情報表示領域２ｃ，２ｄに表示された配送情報が補助ラベル１０１に覆われていることで視認不可能であるため、配送物３が配送されたコンビニエンスストアにて配送情報が見られてしまうことが回避される。
【００７４】
図１８は、図１１に示した補助ラベル１０１が貼着された配送物３がコンビニエンスストアに配送された際の補助ラベル１０１の使用方法を説明するための図である。
【００７５】
図１１に示した補助ラベル１０１が貼着された配送物３がコンビニエンスストアに配送されると、例えば、図１８（ａ）に示すように、管理票１１ｃが中間シート２０から剥離されて表面シート１０から分離されていく。その際、管理票１１ｃと余剰片１２ａとの境界に形成されたハーフスリット１３ｃの端部の近傍に、ハーフスリット１３ｃの一部が途切れて構成され、途切れた端部の一方が表面シート１０の内側に斜めに向かって屈曲されたジッパー部１３ｅが設けられていることで、管理票１１ｃを表面シート１０から分離する力が表面シート１０の内側に向かった場合でも、管理票１１ｃの分離部分がハーフスリット１３ｃからずれて管理票１１ｃが破断してしまうことが回避される。
【００７６】
そして、図１８（ｂ）に示すように、管理票１１ｃが表面シート１０から完全に分離された後、分離された管理票１１ｃを配送業者が持ち帰ることで、配送物３がコンビニエンスストアに配送されたことを記録として残すことができる。その際、管理票１１ｃには、第２の識別情報となる管理番号１５ｂが表示されているが、管理番号１５ｂは、配送ラベル２に表示された管理番号２ｅと対応づけられている。そのため、配送業者は、管理番号１５ｂを読み取ることで、管理番号２ｅによって管理される情報、すなわち、管理番号２ｅによって特定される配送物３が認識され、この配送物３がコンビニエンスストアに配送されたことを記録として残すことができる。
【００７７】
管理票１１ｃが表面シート１０から完全に分離された状態においても、配送ラベル２の配送情報表示領域２ｃ，２ｄに表示された配送情報は、目隠し片２１で覆われているため、配送物３が配送されたコンビニエンスストアにて見られてしまうことはない。
【００７８】
図１９は、図１１に示した補助ラベル１０１が貼着された配送物３がコンビニエンスストアに配送された後に受取人が配送物３を取りに来た際の補助ラベル１０１の使用方法を説明するための図である。
【００７９】
図１１に示した補助ラベル１０１が貼着された配送物３がコンビニエンスストアに配送された後に受取人が配送物３を取りに来ると、例えば、図１９（ａ）に示すように、管理票１１ｂが中間シート２０から剥離されて表面シート１０から分離されていく。
【００８０】
そして、図１９（ｂ）に示すように、管理票１１ｄが表面シート１０から完全に分離された後、分離された管理票１１ｄをコンビニエンスストアにて回収することで、配送物３の受取人が配送物３を受け取ったことを記録として残すことができる。その際、管理票１１ｄには、第２の識別情報となる管理番号１５ａが表示されているが、管理番号１５ａは、管理票１１ｃに表示された管理番号１５ｂと同様に、配送ラベル２に表示された管理番号２ｅと対応づけられている。そのため、管理番号１５ａを用いて、配送ラベル２が貼着された配送物３がその受取人によって受け取られたことを記録として残すことができる。また、管理票１１ｂが表面シート１０から完全に分離された状態においても、配送ラベル２の配送情報表示領域２ｃ，２ｄに表示された配送情報は、目隠し片２１で覆われているため、配送物３が配送されたコンビニエンスストアにて見られてしまうことはない。
【００８１】
このように、コンビニエンスストアに配送された配送物３を受取人が受け取ることができ、その際、配送物３がコンビニエンスストアに配送されたことと、配送物３が受取人に受け取られたことを、補助ラベル１０１を用いて記録として残すことができる。そして、配送物３がコンビニエンスストアに配送されてから受取人が受け取るまで、配送物３に貼着された配送ラベル２の配送情報表示領域２ｃ，２ｄに表示された配送情報が補助ラベル１によって覆われていることで、配送ラベル２の配送情報表示領域２ｃ，２ｄに表示された配送情報がコンビニエンスストアにて見られてしまうことが回避される。
【００８２】
また、表面シート１０に、複数の管理票１１ａ〜１１ｃがハーフスリット１３ａ，１３ｂによって分離可能に区画形成されていることで、配送物３がコンビニエンスストアに配送された旨を、管理票１１ｃを用いて記録として残すことができるとともに、配送物３の受取人が配送物３を受け取った旨を、管理票１１ｂを用いて記録として残すことができる。
【００８３】
図２０は、図１１に示した補助ラベル１０１が貼着された配送物３がコンビニエンスストアに配送された後に受取人が配送物３を取りに来なかった際の補助ラベル１０１の使用方法を説明するための図である。
【００８４】
図１１に示した補助ラベル１０１が貼着された配送物３がコンビニエンスストアに配送された後、受取人が配送物３を取りに来なかった場合は、配送業者が配送物３をコンビニエンスストアから回収する。そして、図２０（ａ）に示すように、管理票１１ａ〜１１ｃの全てが中間シート２０から剥離された状態において、表面シート１０に形成された貫通ミシン１６ａと中間シート２０に形成された貫通ミシン２３ａとを破断させていき、また、表面シート１０に形成された貫通ミシン１６ｂと中間シート２０に形成された貫通ミシン２３ｂとを破断させていくことで、表面シート１０の余剰片１２ａ，１２ｂのうち貫通ミシン１６ａ，１６ｂの内側の領域を余剰片１２ａ，１２ｂから切り離すとともに、目隠し片２１を中間シート２０から切り離す。この際、貫通ミシン１６ａ，２３ａが、上述したように、互いに対向する領域に同一の形状に形成されているため、貫通ミシン１６ａ，２３ａを１つのアクションで同時に破断させていくことができ、また同様に、貫通ミシン１６ｂ，２３ｂが、互いに対向する領域に同一の形状に形成されているため、貫通ミシン１６ｂ，２３ｂを１つのアクションで同時に破断させていくことができる。
【００８５】
表面シート１０の余剰片１２ａ，１２ｂのうち貫通ミシン１６ａ，１６ｂの内側の領域と中間シート２０の目隠し片２１とをそれぞれ表面シート１０及び中間シート２０から完全に切り離すことで、図２０（ｂ）に示すように、配送物３に貼着された配送ラベル２が表出する。この際、補助ラベル１０１が、中間シート２０の目隠し片２１が配送ラベル２に対向するように配送ラベル２を跨って配送物３に貼着されていることで、補助ラベル１０１が粘着層１５０によって配送ラベル２に貼着されていない状態となっており、中間シート２０の目隠し片２１を中間シート２０から切り離すことで、配送ラベル２を表出させることができる。このように本形態における粘着層１５０は、中間シート２０の裏面シート１３０との貼着面のうち、貫通ミシン２３ａ，２３ｂに挟まれた領域の外側に、中間シート２０の端辺から所定の幅を有して貫通ミシン２３ａ，２３ｂに沿って粘着剤が塗布されることで積層されていることにより、補助ラベル１０１が配送物３に貼着された後に、表面シート１０の貫通ミシン１６ａ，１６ｂに挟まれた領域と中間シート２０の貫通ミシン２３ａ，２３ｂに挟まれた領域のそれぞれを表面シート１０及び中間シート２０から切り離した場合に貫通ミシン１６ａ，１６ｂ，２３ａ，２３ｂに挟まれた領域にて配送物３に貼着された配送ラベル２を表出させる構造を有している。
【００８６】
配送ラベル２を表出させることで、配送業者は、配送ラベル２の配送情報表示領域２ｃ，２ｄに表示された配送情報に従って、コンビニエンスストアから回収した配送物３を再配送することができる。
【００８７】
このように、表面シート１０の管理票１１ｃを中間シート２０から剥離して表面シート１０から切り離し、それを配送業者が持ち帰ることで、配送物３がコンビニエンスストアに配送された旨を記録として残すことにより、配送ラベル２が貼着されて配送された配送物３を配送業者以外の拠点となるコンビニエンスストアにて受け取るサービスが可能となる。また、配送物３の受取人がその拠点に配送物を受け取りに来なかった場合に、表面シート１０の余剰片１２ａ，１２ｂのうち貫通ミシン１６ａ，１６ｂの内側の領域と中間シート２０の貫通ミシン２３ａ，２３ｂに挟まれた目隠し片２１とを、表面シート１０及び中間シート２０から切り離すことで、配送ラベル２を表出させることにより、配送業者が配送ラベル２を用いて配送物３を再配送することが可能となる。
【００８８】
なお、本形態においては、粘着層１５０が、中間シート２０の裏面シート１３０との積層面のうち、貫通ミシン２３ａ，２３ｂに挟まれた領域の外側に、中間シート２０の端辺から所定の幅を有して貫通ミシン２３ａ，２３ｂに沿って粘着剤が塗布されることで積層されているが、中間シート２０の裏面シート１３０との積層面のうち、貫通ミシン２３ａ，２３ｂに挟まれた領域の外側の少なくとも一部に積層されていればよい。
【００８９】
また、裏面シート１３０は、少なくとも中間シート２０の粘着層１５０が積層された２つの領域のそれぞれに剥離層１３１を介して剥離可能に貼着されていればよいため、１枚のシートから構成されるのではなく、中間シート２０の粘着層１５０が積層された２つの領域に分割されて構成されていてもよい。
【００９０】
また、上述した実施の形態においては、表面シート１０に形成される第１の切り離し線として、ハーフスリット１３ｃ，１３ｄを例に挙げて説明したが、第１の切り離し線としては、一般的なミシン目やマイクロミシン、ジッパーミシン等を適宜採用することができる。また、表面シート１０、中間シート２０及び裏面シート３０に形成される第２〜第４の切り離し線として、カット部とタイ部との比が、２：１となった貫通ミシンを例に挙げて説明したが、第２〜第４の切り離し線としては、マイクロミシン等を適宜採用することができる。
【符号の説明】
【００９１】
１，１０１    補助ラベル
２    配送ラベル
２ａ    配達票
２ｂ    貼付票
２ｃ，２ｄ    配送情報表示領域
２ｅ，１５ａ，１５ｂ    管理番号
２ｆ    スリット
３    配送物
１０    表面シート
１１ａ〜１１ｃ    管理票
１２ａ，１２ｂ，２２ａ，２２ｂ    余剰片
１３ａ〜１３ｄ，３４ａ，３４ｂ    ハーフスリット
１３ｅ    ジッパー部
１４ａ，１４ｂ，２４ａ，２４ｂ    コーナーカット
１６ａ，１６ｂ，２３ａ，２３ｂ，３３ａ，３３ｂ    貫通ミシン
２０    中間シート
２１，３１    目隠し片
３０，１３０    裏面シート
３１，１３１    剥離層
３２ａ，３２ｂ    剥離片
４０    擬似接着層
５０，１５０    粘着層
【図１】
2020006586.tif 000003
【図２】
2020006586.tif 000004
【図３】
2020006586.tif 000005
【図４】
2020006586.tif 000006
【図５】
2020006586.tif 000007
【図６】
2020006586.tif 000008
【図７】
2020006586.tif 000009
【図８】
2020006586.tif 000010
【図９】
2020006586.tif 000011
【図１０】
2020006586.tif 000012
【図１１】
2020006586.tif 000013
【図１２】
2020006586.tif 000014
【図１３】
2020006586.tif 000015
【図１４】
2020006586.tif 000016
【図１５】
2020006586.tif 000017
【図１６】
2020006586.tif 000018
【図１７】
2020006586.tif 000019
【図１８】
2020006586.tif 000020
【図１９】
2020006586.tif 000021
【図２０】
2020006586.tif 000022